(57)【要約】【課題】組み立て後に、構成部品を無傷のまま精度性能を維持しつつ、簡単・容易に分解することが可能な回転磁気ヘッドドラム装置を提供すること。【解決手段】下側固定ドラムの中心穴にその下端側を圧入固定された固定中心軸と、固定中心軸の中間部に回転可能に取り付けられた軸受けハウジングと、軸受けハウジングと一体回転するように、該軸受けハウジングに取り付けられた回転ドラムと、回転ドラムの下面側に取り付けられた磁気ヘッドと、回転ドラムの上面側に取り付けられた回転側ロータリトランスと、固定中心軸の上端側に固定された上側固定ドラムと、上側固定ドラムの下面側に取り付けられた固定側ロータリトランスとを具備した構成において、軸受けハウジングの上部円筒部の外周に形成した雄ネジ部と、回転ドラムの中心貫通穴の内周に形成した雌ネジ部とを、ネジ結合することにより、軸受けハウジングと回転ドラムとを一体化する。【選択図】　　　図１
2004103047.tif 000002
【特許請求の範囲】
【請求項１】
その外周に磁気テープを案内するためのヘリカルリードを設けた下側固定ドラムと、この下側固定ドラムの中心穴にその下端側を圧入固定された固定中心軸と、この固定中心軸の中間部に回転可能に取り付けられた軸受けハウジングと、この軸受けハウジングと一体回転するように、該軸受けハウジングに取り付けられた回転ドラムと、この回転ドラムの下面側に取り付けられた磁気ヘッドと、前記回転ドラムの上面側に取り付けられた回転側ロータリトランスと、前記固定中心軸の上端側に止めネジにより固定された上側固定ドラムと、この上側固定ドラムの下面側に取り付けられた固定側ロータリトランスとを、具備した回転磁気ヘッドドラム装置において、
前記軸受けハウジングの上部円筒部の外周に雄ネジ部を形成するとともに、前記回転ドラムの中心貫通穴の内周には前記雄ネジ部が螺合する雌ネジ部を形成して、前記雄ネジ部と前記雌ネジ部をネジ結合することにより、前記軸受けハウジングと前記回転ドラムとを一体化するようにしたことを特徴とする回転磁気ヘッドドラム装置。
【請求項２】
請求項１記載において、
前記軸受けハウジングの上部円筒部と前記回転ドラムの中心貫通穴の内周には、回転中心を合わせ込むための案内部が設けられ、前記雄ネジ部と前記雌ネジ部が噛み合う前に双方の前記案内部が当接するようにしたことを特徴とする回転磁気ヘッドドラム装置。
【請求項３】
請求項１記載において、
前記回転側ロータリトランスのコイル巻き線の端部を、前記回転ドラムの前記中心貫通穴の周りに穿設した貫通穴を通して、前記磁気ヘッドに直接半田付けしたことを特徴とする回転磁気ヘッドドラム装置。
【請求項４】
請求項１記載において、
前記下側固定ドラムに設けられたモータステータと所定間隔をおいて対向するモータロータは、前記軸受けハウジングに設けられたフランジ部の上面と、前記回転ドラムの下端面との間で挟持されることにより、前記回転ドラムと一体に回転するように固定されることを特徴とする回転磁気ヘッドドラム装置。
【請求項５】
請求項４記載において、
前記モータロータと前記回転ドラムには、回転位相を合わせるための嵌め合わせ部が設けられたことを特徴とする回転磁気ヘッドドラム装置。
【請求項６】
請求項１記載において、
前記下側固定ドラムの前記中心穴の周りには、治具挿入用の複数の貫通穴が穿設されるとともに、前記軸受けハウジングの下部円筒部の端面には、前記貫通穴を通して前記治具が嵌め合わされることにより、前記軸受けハウジングを回転不能な状態におくための、嵌め合わせ部が形成されたことを特徴とする回転磁気ヘッドドラム装置。
【発明の詳細な説明】
【０００１】
【発明の属する技術分野】
本発明は、ビデオムービーやＤＡＴなどの磁気テープを記録媒体とする磁気記録再生装置に使用する回転磁気ヘッドドラム装置に関するものである。
【０００２】
【従来の技術】
従来のこの種の回転磁気ヘッドドラム装置の構造例について説明する。図３は、従来の回転磁気ヘッドドラム装置の一構成例を示す断面図である。
【０００３】
図３において、５１は、その外周に磁気テープを案内するためのヘリカルリード５１ａを形成した下側固定ドラム、５３は、下側固定ドラム５１の中心穴（中心貫通穴）５１ｂにその下端側を圧入固定された固定中心軸、５４は、固定中心軸５３の中間部に回転可能に取り付けられた軸受けハウジングである。５２は軸受けであり、ここではこの軸受け５２は、固定中心軸５３を有する軸一体型ダイレクト軸受けとなっており、固定中心軸５３の外周を内輪部とし、ボール５５を転動子とし、ボール５５と接触した軸受けカップ５６および軸受けカップ５６に圧入固定された軸受けハウジング５４などを外輪部としたものとなっていて、あらかじめ作製されている軸受け（軸一体型ダイレクト軸受け）５２の固定中心軸５３が、下側固定ドラム５１に圧入固定されるようになっている。５７は、下側固定ドラム５１の凹部５１ｃの底面側に接着固定された、モータコイルをもつモータステータである。
【０００４】
また、５８は、軸受けハウジング５４のフランジ部５４ａ上に載置され、フランジ部５４ａのＩ形膨出部５４ａ−１上に、止めネジ５９によってネジ固定された回転ドラム、６０は、軸受けハウジング５４のフランジ部５４ａの下面側に図示せぬ止めネジによってネジ固定され、モータステータ５７と所定間隔をおいて対向する永久磁石をもつモータロータ、６１は、軸受けハウジング５４の下端側に嵌め込まれ、モータロータ６０の磁気的吸着力によりモータロータ６０と一体となって回転するヨーク板である。
【０００５】
また、６２は、回転ドラム５８の下面側に止めネジ６３によってネジ固定された磁気ヘッド、６４は、回転ドラム５８の上面側に接着固定された回転側ロータリトランス、６５は、回転側ロータリトランス６４の中継基板、６６は、磁気ヘッド６２と中継基板６５とを電気的に導通させるための中継端子である。磁気ヘッド６２と中継端子６６との接続は、磁気ヘッド６２の信号取り出し用の端子部に中継端子６６の導電性板バネを弾接させることで行われ、回転側ロータリトランス６４の中継基板６５と中継端子６６との接続は、中継基板６５に中継端子６６の端部を半田付けすることによって行われる。なお、中継基板６５をもつ回転側ロータリトランス６４は、止めネジ５９の上部に位置している都合上、軸受けハウジング５４に回転ドラム５８を止めネジ５９によってネジ固定した後、回転側ロータリトランス６４を回転ドラム５８に接着固定し、然る後、中継基板６５と中継端子６６とを半田付けで接続するようになっている。
【０００６】
また、６７は、その中心貫通穴６７ａに固定中心軸５３の上端側を挿通し、止めネジ６８によって固定中心軸５３の上端側に固定された上側固定ドラム、６９は、上側固定ドラム６７の下面側に接着固定され、回転側ロータリトランス６４と所定間隔をおいて対向した固定側ロータリトランスである。
【０００７】
図３に示す構成において、モータステータ５７のモータコイルに通電することよりモータステータ５７とモータロータ６０との間に発生する磁気力によって、軸受けハウジング５４などとともに回転ドラム５８が回転する。また、回転側ロータリトランス６４と固定側ロータリトランス６９との間での磁気的な信号伝達により、磁気ヘッド６２と外部の信号読み書き回路との間での、書き込み信号や読み出し信号の授受が行われる。
【０００８】
【発明が解決しようとする課題】
上述した図３に示した従来構成においては、回転ドラム５８を軸受けハウジング５４に止めネジ５９によってネジ固定する構造をとっており、この止めネジ５９が、装置の小型化の都合上、回転側ロータリートランス６４により隠蔽される位置をとることを余儀なくされ、このため、軸受けハウジング５４に回転ドラム５８を止めネジ５９によってネジ固定した後、回転側ロータリトランス６４を回転ドラム５８に接着固定し、さらに、中継基板６５と中継端子６６とを半田付けで接続するという、組み立て工程をとっていた。このように、回転側ロータリトランス６４をあらかじめ回転ドラム５８と一体化した状態で、回転ドラム５８を組み付けることができないため、組み立て作業が繁雑なものとなり、かつ、組み立て完了後は、回転ドラム５８の取り外しに非常に手間がかかるものとなっていた。また、軸受けハウジング５４のフランジ部５４ａの下面側にモータロータ６０をネジ固定した状態で、前記した軸一体型ダイレクト軸受け（軸受け）５２の固定中心軸５３を下側固定ドラム５１に圧入固定するようにしているので、モータロータ６０を取り外すには、圧入固定部分を抜き外さなければならないが、こうすると圧入箇所の精度信頼性が著しく劣化する。以上のように、従来構成においては、回転磁気ヘッドドラム装置の構成部品を、無傷のまま精度性能を維持しつつ分解するのは実質上不可能であったため、磁気ヘッド６２の損耗などによる部品交換は、回転磁気ヘッドドラム装置の全体交換となり、あるいは、製造上諸般の事情により回転磁気ヘッドドラム装置の分解を行う場合に、製造用部品の消耗を強いられるという問題があった。
【０００９】
また、従来構成においては、磁気ヘッド６２と回転側ロータリートランス６４とを電気的に導通させるために、中継基板６５や中継端子６６といった電気的中継部材が必要な構造となっていたので、部品点数が増し、組み立て工数が嵩むという問題もあった。
【００１０】
さらに、従来構成においては、軸受けハウジング５４のフランジ部５４には、回転ドラム５８とモータロータ６０の双方をネジ固定するため大きさが求められるため、これが回転磁気ヘッドドラム装置の小型化の阻害要因の１つとなっている上、フランジ部５４にはＩ形膨出部５４ａ−１を形成する必要があるので、軸受けハウジング５４の製作性が悪いという問題もあった。
【００１１】
さらにまた、従来構成においては、総じて回転磁気ヘッドドラム装置の内部のスペースファクター性が悪い構造となっていたため、回転磁気ヘッドドラム装置として本来基本的に必要とされる各部品の信頼性を確保するために、部品の製作コストが嵩み、このため部品単価を低減させるのが困難であるという指摘もあった。
【００１２】
本発明は上記の点に鑑みなされたもので、その目的とするところは、組み立て後に、構成部品を無傷のまま精度性能を維持しつつ、簡単・容易に分解することが可能な回転磁気ヘッドドラム装置を提供することにある。また、本発明の目的とするところは、部品点数を削減することが可能で、かつ、組み立ても容易で、総じて安価な回転磁気ヘッドドラム装置を提供することにある。
【００１３】
【課題を解決するための手段】
上記した目的を達成するために、本願による代表的な１つの発明では、
その外周に磁気テープを案内するためのヘリカルリードを設けた下側固定ドラムと、この下側固定ドラムの中心穴にその下端側を圧入固定された固定中心軸と、この固定中心軸の中間部に回転可能に取り付けられた軸受けハウジングと、この軸受けハウジングと一体回転するように、該軸受けハウジングに取り付けられた回転ドラムと、この回転ドラムの下面側に取り付けられた磁気ヘッドと、前記回転ドラムの上面側に取り付けられた回転側ロータリトランスと、前記固定中心軸の上端側に止めネジにより固定された上側固定ドラムと、この上側固定ドラムの下面側に取り付けられた固定側ロータリトランスとを、具備した回転磁気ヘッドドラム装置において、
軸受けハウジングの上部円筒部の外周に雄ネジ部を形成するとともに、回転ドラムの中心貫通穴の内周には雄ネジ部が螺合する雌ネジ部を形成して、雄ネジ部と雌ネジ部をネジ結合することにより、軸受けハウジングと回転ドラムとを一体化するように、構成される。
【００１４】
【発明の実施の形態】
以下、本発明の実施の形態を、図面を用いて説明する。
【００１５】
図１は、本発明の一実施形態に係る回転磁気ドラム装置の組み立て状態の構成を示す断面図、図２は、本発明の一実施形態に係る回転磁気ドラム装置の分解状態の構成を示す断面図である。
【００１６】
図１、図２において、１は、その外周に磁気テープを案内するためのヘリカルリード１ａを形成した下側固定ドラム、３は、下側固定ドラム１の中心穴（中心貫通穴）１ｂにその下端側を圧入固定された固定中心軸、４は、固定中心軸３の中間部に回転可能に取り付けられた軸受けハウジングである。２は軸受けであり、ここではこの軸受け２は、固定中心軸３を有する軸一体型ダイレクト軸受けとなっており、固定中心軸３の外周を内輪部とし、ボール５を転動子とし、ボール５と接触した軸受けカップ６および軸受けカップ６に圧入固定された軸受けハウジング４などを外輪部としたものとなっていて、あらかじめ作製されている軸受け（軸一体型ダイレクト軸受け）２の固定中心軸３が、下側固定ドラム１に圧入固定されるようになっている。
【００１７】
本実施形態では、上記の軸受けハウジング４は、全体が概略円筒状に作製されていて、その中間部には小円板状のフランジ部４ａが形成されている。また、軸受けハウジング４の上部円筒部の先端側外周には雄ネジ部４ｂが形成されているとともに、この雄ネジ部４ｂの下側には回転中心を合わせ込むための案内部４ｃが形成されている。さらに、軸受けハウジング４の下部円筒部の端面には、治具３０（図２参照）の先端が嵌め合わされる嵌め合わせ部（ここでは切り欠き）４ｄが形成されている。なお、軸受けハウジング４の嵌め合わせ部４ｄに治具３０の先端を嵌め合わせることを可能にするため、下側固定ドラム１の中心貫通穴１ｂの周りには、治具挿入用の複数の貫通穴１ｅが穿設されており、軸受けハウジング４が所定の回転位相にあるとき、貫通穴１ｅを通して治具３０の先端が嵌め合わせ部４ｄに嵌め合わせ可能となっていて、治具３０の先端が嵌め合わせ部４ｄに嵌め合わされると、治具３０を固定することによって、軸受けハウジング４は回転不能な状態におかれるようになっている。
【００１８】
１１は、軸受けハウジング４の下部円筒部にあらかじめ圧入固定されたヨーク板であり、７は、軸一体型ダイレクト軸受け（軸受け）２の固定中心軸３の下側固定ドラム１への圧入後に、下側固定ドラム１の凹部１ｃの底面側の段部１ｄに接着固定された、モータコイルをもつモータステータである。
【００１９】
また、８は回転ドラムで、その下面側には、一対の磁気ヘッド１２が１８０°間隔で止めネジ１３によってネジ固定されているとともに、その上面側には、回転側ロータリトランス１４が接着固定されている。磁気ヘッド１２と回転側ロータリトランス１４は、回転側ロータリトランス１４のコイル巻き線の端部を接続用リード線１５として、この接続用リード線１５を、回転ドラム８の中心貫通穴８ａの周りに穿設した貫通穴８ｄを通して、磁気ヘッド１２の端子部に直接半田付けすることによって、両者１２、１４間を電気的に接続するようになっている。なお、コイル巻き線の端部を接続用リード線とせず、別途用意した接続用リード線によって接続をとるようにしてもよい。
【００２０】
上記の回転ドラム８の中心貫通穴８ａの内周の上部には、前記軸受けハウジング４の雄ネジ部４ｂが螺合する雌ネジ部８ｂが形成されているとともに、この雌ネジ部８ｂの下側には、前記軸受けハウジング４の案内部４ｃと協働して、回転中心を合わせ込むための案内部８ｃが形成されている。
【００２１】
本実施形態では、軸受けハウジング４と回転ドラム８との一体化は、従来のように別途専用の締結部材である止めネジを用いることなく、軸受けハウジング４の雄ネジ部４ｂと回転ドラム８の雌ネジ部８ｂとを、直接螺合（ネジ結合）させることによって行うようになっており、この際、治具３０によって軸受けハウジング４の回転を抑止した状態で、雄ネジ部４ｂと雌ネジ部８ｂとをネジ結合させる。また、雄ネジ部４ｂと雌ネジ部８ｂとが噛み合う前に、軸受けハウジング４の案内部４ｃと回転ドラム８の案内部８ｃとが当接して、回転中心を合わせ込むように構成しており、これにより、雄ネジ部４ｂと雌ネジ部８ｂが破損する虞は全くなく、正確に回転中心を合わせることが可能になっている。なお、組み立て後には、ネジ結合部以外の軸受けハウジング４の外周と回転ドラム８の内周との間は、数μｍ以下のクリアランスをもつようになっている。
【００２２】
また、１０は、前記モータステータ７と所定間隔をおいて対向するように配置された永久磁石をもつモータロータで、このモータロータ１０は、軸受けハウジング４のフランジ部４ａの上面と、回転ドラム８の下端面との間で挟持されることにより、軸受けハウジング４および回転ドラム８と一体回転するように、両者４、８に固定されるようになっている。つまり、本実施形態では、モータロータ１０は、軸受けハウジング４の雄ネジ部４ｂと回転ドラム８の雌ネジ部８ｂとをネジ結合することにより、軸受けハウジング４と回転ドラム８とに挟み込まれて両者４、８に固定されるようになっており、従来構成のように別途専用の締結部材である止めネジを用いることなく、モータロータ１０を回転側に固定できるようになっている。なお、回転ドラム８の下端面とモータロータ１０の上面には、回転位相を合わせるための嵌め合わせ部８ｅ、１０ａが設けられており、両者８ｅ、１０ａを嵌め合わせることにより、モータロータ１０は、回転ドラム８に対して所期の回転位相で取り付け・一体化されるようになっている。ここでは、嵌め合わせ部８ｅを凸とし、嵌め合わせ部１０ａを凹としているが、この関係は逆であってもよい。また、回転ドラム８とモータロータ１０の双方に位相合わせ用の穴を設けて、この穴を利用し位相合わせ用の治具で位相合わせを行うようにしてもよい。
【００２３】
また、１７は、その中心貫通穴１７ａに固定中心軸３の上端側を挿通し、その半径方向貫通穴１７ｂに螺合する止めネジ１８によって固定中心軸３の上端側に固定された上側固定ドラムであり、１９は、上側固定ドラム１７の下面側に接着固定され、回転側ロータリトランス１４と所定間隔をおいて対向した固定側ロータリトランスである。
【００２４】
そして、図１に示す構成において、モータステータ７のモータコイルに通電することよりモータステータ７とモータロータ１０との間に発生する磁気力によって、軸受けハウジング４などとともに回転ドラム８が回転する。また、回転側ロータリトランス１４と固定側ロータリトランス１９との間での磁気的な信号伝達により、磁気ヘッド１２と外部の信号読み書き回路との間での、書き込み信号や読み出し信号の授受が行われる。
【００２５】
上述したような構成をとる本実施形態の回転磁気ヘッドドラム装置においては、何らかの理由で回転磁気ヘッドドラム装置の分解が必要になったときには、まず、止めネジ１８をゆるめて上側固定ドラム１７を固定中心軸３から取り外し、次に、治具３０によって軸受けハウジング４を回転不能な状態に保持した上で、軸受けハウジング４の雄ネジ部４ｂと回転ドラム８の雌ネジ部８ｂのネジ結合を解除して、回転ドラム８およびモータロータ１０を軸受けハウジング４から取り外すことで、図２に示したような各ブロックに、簡単・容易に分解できることになる。さらに、分解に際して、半田付け部の取り外しや圧入箇所の抜去の必要がないので、構成部品を無傷のまま精度性能を維持しつつ分解することが可能になる。したがって、例えば損耗した磁気ヘッドを交換するなどの部品交換が容易に行え、かつ、再組み立ても容易であるとともに、再組み立て後の部品精度も保証できることとなり、従来のように、回転磁気ヘッドドラム装置全体を交換する必要がなくなり、ユーザに対するサービス費用の低減を図ることが可能となる。同様に、製造上の諸般の事情により回転磁気ヘッドドラム装置の分解を行う場合でも、構成部品を無傷のまま精度性能を維持しつつ分解することが可能になる。
【００２６】
また、本実施形態においては、回転ドラム８の軸受けハウジング４への取り付けは、従来のように別途専用の締結部材である止めネジを用いることなく、軸受けハウジング４の雄ネジ部４ｂと回転ドラム８の雌ネジ部８ｂとを、直接螺合（ネジ結合）させることによって行っているので、回転ドラム８の上面側に回転側ロータリトランス１４を接着固定した状態で、回転ドラム８を軸受けハウジング４に組み付けることが可能となり、従来のような中継基板や中継端子が不要であることと相俟って、部品点数および組み立て工数の削減と、組み立て工程および分解工程の簡素化と、回転磁気ヘッドドラム装置内のスペースファクター性の向上とが達成できる。さらに、回転ドラム８の軸受けハウジング４への取り付けに、別途専用の締結部材である止めネジを必要としないので、止めネジの分だけ部品点数が削減できるとともに、止めネジの配置スペースを必要としないので、この点でも、回転磁気ヘッドドラム装置内のスペースファクター性の向上に寄与できる。さらにまた、雄ネジ部４ｂと雌ネジ部８ｂとが噛み合う前に、軸受けハウジング４の案内部４ｃと回転ドラム８の案内部８ｃとが当接して、回転中心を合わせ込むようになっているので、雄ネジ部４ｂと雌ネジ部８ｂが破損する虞は全くなく、正確に回転中心を合わせることが可能になる。
【００２７】
また、回転側ロータリトランス１４のコイル巻き線の端部を接続用リード線１５として、この接続用リード線１５を回転ドラム８の中心貫通穴８ａの周りに穿設した貫通穴８ｄを通して、磁気ヘッド１２の端子部に直接半田付けすることによって、磁気ヘッド１２と回転側ロータリトランス１４とを電気的に接続するようにしているので、先にも述べたように、部品点数および組み立て工数の削減が図れ、また、回転磁気ヘッドドラム装置内のスペースファクター性の向上にも寄与できる。
【００２８】
また、モータロータ１０は、軸受けハウジング４のフランジ部４ａの上面と、回転ドラム８の下端面との間で挟持されることにより、軸受けハウジング４および回転ドラム８に固定されるようになっているので、従来構成のように別途専用の締結部材である止めネジを用いることなく、モータロータ１０を回転側に固定することができ、したがって、止めネジの分だけ部品点数が削減できるとともに、止めネジの配置スペースを必要としないので、この点でも、回転磁気ヘッドドラム装置内のスペースファクター性の向上に寄与できる。さらに、上述したように、回転ドラム８を軸受けハウジング４から取り外すことで、モータロータ１０も無傷のまま、簡単・容易に取り外すことが可能になる。さらにまた、回転ドラム８とモータロータ１０には、回転位相を合わせるための嵌め合わせ部８ｅ、１０ａが設けられているので、モータロータ１０を、回転ドラム８に対して所期の回転位相で確実に一体化できる。
【００２９】
また、回転ドラム８やモータロータ１０の取り付けに別途専用の締結部材である止めネジを必要としないので、軸受けハウジング４から止めネジの受け部を削除することができ、したがって、軸受けハウジング４を、その中間部に小円板状のフランジ部４ａを形成してなる全体が概略円筒状の、作製容易な形状で、かつ、小型のものにすることができる。
【００３０】
また、下側固定ドラム１の治具挿入用の貫通穴１ｅを通して、治具３０を、軸受けハウジング４の下部円筒部の端面に形成した嵌め合わせ部４ｄに嵌め合わせることで、軸受けハウジング４の回転を抑止できるようにしているので、軸受けハウジング４の雄ネジ部４ｂと回転ドラム８の雌ネジ部８ｂとのネジ結合やその解除を容易に行うことができる。
【００３１】
さらにまた、本実施形態の回転磁気ヘッドドラム装置では、従来構成に較べて部品点数を削減して、回転磁気ヘッドドラム装置内のスペースファクター性を向上させているので、回転磁気ヘッドドラム装置の内部に配置する必要部品の信頼性確保が容易となって、部品の製作コストを低減させることも可能となる。
【００３２】
【発明の効果】
以上のように本発明によれば、組み立て後に、構成部品を無傷のまま精度性能を維持しつつ、簡単・容易に分解することが可能な回転磁気ヘッドドラム装置を提供することができる。また、部品点数を削減することが可能であるとともに、組み立ても容易で、かつ、安価な回転磁気ヘッドドラム装置を提供することができる。
【図面の簡単な説明】
【図１】本発明の一実施形態に係る回転磁気ドラム装置の組み立て状態の構成を示す断面図である。
【図２】本発明の一実施形態に係る回転磁気ドラム装置の分解状態の構成を示す断面図である。
【図３】従来の回転磁気ドラム装置の組み立て状態の構成を示す断面図である。
【符号の説明】
１　下側固定ドラム
１ａ　ヘリカルリード
１ｂ　中心穴（中心貫通穴）
１ｃ　凹部
１ｄ　段部
１ｅ　貫通穴
２　軸受け（軸一体型ダイレクト軸受け）
３　固定中心軸
４　軸受けハウジング
４ａ　フランジ部
４ｂ　雄ネジ部
４ｃ　案内部
４ｄ　嵌め合わせ部
５　ボール
６　軸受けカップ
７　モータステータ
８　回転ドラム
８ａ　中心貫通穴
８ｂ　雌ネジ部
８ｃ　案内部
８ｄ　貫通穴
８ｅ　嵌め合わせ部
１０　モータロータ
１０ａ　嵌め合わせ部
１１　ヨーク板
１２　磁気ヘッド
１３　止めネジ
１４　回転側ロータリトランス
１５　接続用リード線
１７　上側固定ドラム
１７ａ　中心貫通穴
１７ｂ　半径方向貫通穴
１８　止めネジ
３０　治具
【図１】
2004103047.tif 000003
【図２】
2004103047.tif 000004
【図３】
2004103047.tif 000005